(57)【要約】【課題】商品の正確な在庫管理ができる陳列什器用カウント装置を提供する。【解決手段】吊下げアーム１２に吊された商品Ａの出し入れをカウントする陳列什器用カウント装置１であって、吊下げアーム１２から出し入れされる商品Ａに干渉されて揺動する移動片５と、移動片５の揺動により移動片５が当接する当接部６と、移動片５と当接部６との間で作用する荷重を検出する荷重センサ６と、荷重センサ６により検出された荷重が閾値以上の場合に商品Ａの出し入れがあったと判定する判定手段４と、を有する。【選択図】図１
2020127637.tif 000002
【特許請求の範囲】
【請求項１】
吊下げアームに吊された商品の出し入れをカウントする陳列什器用カウント装置であって、
前記吊下げアームから出し入れされる商品に干渉されて揺動する移動片と、前記移動片の揺動により前記移動片が当接する当接部と、前記移動片と前記当接部との間で作用する荷重を検出する荷重センサと、前記荷重センサにより検出された荷重が閾値以上の場合に商品の出し入れがあったと判定する判定手段と、を有することを特徴とする陳列什器用カウント装置。
【請求項２】
前記移動片は回動軸に軸支されており、前記当接部は上下に配置された一対の荷重センサであり、商品取出し時に前記移動片が一方の前記荷重センサに当接し、商品補充時に前記移動片が他方の前記荷重センサに当接することを特徴とする請求項１に記載の陳列什器用カウント装置。
【請求項３】
前記移動片は、商品に干渉する側の部材と当接部側の部材が緩衝バネによって連結されて構成されていることを特徴とする請求項１または２に記載の陳列什器用カウント装置。
【請求項４】
前記移動片は、商品表示板を備えており、該商品表示板の下端部は、前記吊下げアームの上方に近接して配置されていることを特徴とする請求項１ないし３のいずれかに記載の陳列什器用カウント装置。
【請求項５】
前記移動片は、前記商品表示板に略直交するバー部材を備えており、前記バー部材は、前記商品表示板が商品に干渉されないとき略水平に延びるように保持されていることを特徴とする請求項４に記載の陳列什器用カウント装置。
【請求項６】
前記移動片及び前記荷重センサは収納ケースに収納されており、前記吊下げアームの上方に配置された上部アームに前記収納ケースが固定されていることを特徴とする請求項１ないし５のいずれかに記載の陳列什器用カウント装置。
【請求項７】
一つの商品の取出し時間を基に予め決められた基準時間を超えて、前記荷重センサにより閾値以上の荷重が継続して検出された場合、アラート出力するアラート手段を備えることを特徴とする請求項１ないし請求項６のいずれかに記載の陳列什器用カウント装置。
【発明の詳細な説明】
【技術分野】
【０００１】
本発明は、吊り下げて陳列する商品の数量をカウントする陳列什器用カウント装置に関する。
【０００２】
スーパーやコンビニエンスストア等においては、商品を商品陳列什器に種々の形態で陳列して提供しており、例えば商品陳列什器に取付けられた吊下げ陳列具の棒状の保持部（吊下アーム）に商品（物品単体または物品の入った包装袋）に形成された孔やフックを係止させて商品を吊下げる陳列の形態が知られている。ところで、商品の在庫を確認しつつ必要な数の商品を適時補充陳列することで陳列された商品が欠品しないようにしているが、吊下げ陳列具に吊下げられた商品は前後方向に並んでいることから、後方の商品は前方の商品によって見えにくくなっており、吊下げられた商品の在庫状況を正確に把握するには手間を要していた。このようなことから、商品の正確な在庫管理をすべく、商品の出し入れを識別してカウントする陳列什器用カウント装置が提案されている（特許文献１参照）。
【０００３】
特許文献１に示される陳列什器用カウント装置は、保持部の前方において長さの異なる２つの揺動アームが取付けられており、該２つの揺動アームは保持部の前端部において回動軸により回動自在に軸支されている。商品が揺動アームの下端部に触れ、揺動アームの下端が保持部から上方に離れるように上方に回動すると、揺動アームの後端部に固定されたリード接点が接触し回動信号を生成し、電子評価ユニットは回動信号を受信するようになっている。電子評価ユニットでは、長い揺動アームのリード接点からの回動信号と短い揺動アームのリード接点からの回動信号とを受信した順序によって、保持部から商品の取出しと保持部への商品の補充とを識別してカウントするようになっている。このように陳列什器用カウント装置によって商品の在庫を確認できるようになっている。
【先行技術文献】
【特許文献】
【０００４】
【特許文献１】特表２０１８−５０３４８２号公報（第７，８頁、第１，２図）
【発明の概要】
【発明が解決しようとする課題】
【０００５】
しかしながら、特許文献１にあっては、リード接点の接離によって商品の出し入れを評価するようになっているため、陳列什器用カウント装置に揺れ等による小さな外力が加わった場合でも、２つの揺動アームが回動し、リード接点が接触して回動信号が生成され、商品の出し入れがあったと誤検知する虞がある。従って、商品の正確な在庫管理ができない問題がある。
【０００６】
本発明は、このような問題点に着目してなされたもので、商品の正確な在庫管理ができる陳列什器用カウント装置を提供することを目的とする。
【課題を解決するための手段】
【０００７】
前記課題を解決するために、本発明の陳列什器用カウント装置は、
吊下げアームに吊された商品の出し入れをカウントする陳列什器用カウント装置であって、
前記吊下げアームから出し入れされる商品に干渉されて揺動する移動片と、前記移動片の揺動により前記移動片が当接する当接部と、前記移動片と前記当接部との間で作用する荷重を検出する荷重センサと、前記荷重センサにより検出された荷重が閾値以上の場合に商品の出し入れがあったと判定する判定手段と、を有することを特徴としている。
この特徴によれば、判定手段は、荷重センサにより検出された荷重が閾値以上の場合に商品の出し入れがあったと判定するため、商品の出し入れに無関係な小さな外力により生じた閾値未満の荷重を商品の出し入れにカウントしないようになっている。そのため、商品の出し入れの誤検知を防止し、商品の正確な在庫管理ができる。
【０００８】
前記移動片は回動軸に軸支されており、前記当接部は上下に配置された一対の荷重センサであり、商品取出し時に前記移動片が一方の前記荷重センサに当接し、商品補充時に前記移動片が他方の前記荷重センサに当接することを特徴としている。
この特徴によれば、簡素な構成で陳列什器用カウント装置が商品取出し時と商品補充時とを明確に区別してカウントすることができる。
【０００９】
前記移動片は、商品に干渉する側の部材と当接部側の部材が緩衝バネによって連結されて構成されていることを特徴としている。
この特徴によれば、移動片と当接部との間に作用する荷重を荷重センサで計測する際、緩衝バネが変形することにより当接部に極端な荷重をかけることを防止でき、また移動片の揺動を許容するようになっており円滑に商品を出し入れできる。
【００１０】
前記移動片は、商品表示板を備えており、該商品表示板の下端部は、前記吊下げアームの上方に近接して配置されていることを特徴としている。
この特徴によれば、商品出し入れ時に商品の上端部が商品表示板の下端部に干渉すると、移動片が揺動するため、簡単な構造で陳列什器用カウント装置を構成することができる。
【００１１】
前記移動片は、前記商品表示板に略直交するバー部材を備えており、前記バー部材は、前記商品表示板が商品に干渉されないとき略水平に延びるように保持されていることを特徴としている。
この特徴によれば、移動片が商品の出し入れとは無関係に当接部に当接しにくくなっており防止でき、商品の出し入れの誤検知を防止できる。
【００１２】
前記移動片及び前記荷重センサは収納ケースに収納されており、前記吊下げアームの上方に配置された上部アームに前記収納ケースが固定されていることを特徴としている。
この特徴によれば、収納ケースが上部アームに取付けられているため、組立てが容易であり、また収納ケースによって移動片及び荷重センサを保護するとともに隠蔽できるため、美観に優れる。
【００１３】
一つの商品の取出し時間を基に予め決められた基準時間を超えて、前記荷重センサにより閾値以上の荷重が継続して検出された場合、アラート出力するアラート手段を備えることを特徴としている。
この特徴によれば、複数の商品が一斉に取出されると、商品を一つ取出すときに比べ荷重センサに商品が移動片を介して接触している時間が長くなる。このことから、基準時間を超えて荷重センサにより閾値以上の荷重が継続して検出された場合、商品の盗難等の不正行為があると検知してアラート出力により周知できる。
【図面の簡単な説明】
【００１４】
【図１】本発明の実施例１における商品陳列什器に係着され商品が吊下げ陳列された状態の吊下げ陳列具及び陳列什器用カウント装置を示す斜視図である。
【図２】実施例１における吊下げ陳列具及び計測装置を示す斜視図である。
【図３】吊下げ陳列具及び陳列什器用カウント装置を示す左側面視断面図である。
【図４】外部ディスプレイに表示されるアラート出力を示す。
【図５】（ａ）〜（ｃ）は、商品補充時の商品表示板と揺動バーとの動作を示す左側面視断面図である。
【図６】（ａ）〜（ｃ）は、商品取出し時の商品表示板と揺動バーとの動作を示す左側面視断面図である。
【図７】実施例１の変形例を示す計測装置の左側面視断面図である。
【図８】本発明の実施例２における吊下げ陳列具及び陳列什器用カウント装置を示す左側面視断面図である。
【図９】本発明の実施例３における吊下げ陳列具及び陳列什器用カウント装置を示す左側面視断面図である。
【発明を実施するための形態】
【００１５】
本発明に係る陳列什器用カウント装置を実施するための形態を実施例に基づいて以下に説明する。
【実施例１】
【００１６】
実施例１に係る陳列什器用カウント装置につき、図１から図７を参照して説明する。以下、図１の紙面右下側及び図３の紙面右側を陳列什器用カウント装置の正面側（前方側、手前側）とし、その前方側から見たときの上下左右方向を基準として説明する。
【００１７】
図１に示されるように、商品陳列什器１０は、上下に延びる左右一対の支柱１０ａ，１０ａと、左右に延びる上下一対の横杆１０ｂ，１０ｂと、左右に延びる複数のレール１０ｃ，１０ｃ，…と、複数の吊下げ陳列具１１，１１，…と、から主に構成されている。左右一対の支柱１０ａ，１０ａは、上下一対の横杆１０ｂ，１０ｂにより連結固定されており、レール１０ｃは、その両端部に取付けられた係止片１０ｄ，１０ｄが、左右一対の支柱１０ａ，１０ａの前面に形成された被係止孔１０ｅ，１０ｅに係止されることで左右一対の支柱１０ａ，１０ａに取付けられている。また、左右一対の支柱１０ａ，１０ａの下端部には、前方に延びる左右一対の脚部材１０ｆ，１０ｆが備えられているため、商品陳列什器１０が安定して自立可能となっている。吊下げ陳列具１１は商品陳列什器１０のレール１０ｃに取付けられ、前後に延びる吊下げアーム１２に商品Ａを吊下げて陳列している。
【００１８】
陳列什器用カウント装置１は、吊下げ陳列具１１に取付けられた計測装置２と、送信ユニット３に備えられた判定手段４と、によって主に構成されており、これら計測装置２と判定手段４とは、電気コードにより電気的に接続され、電源プラグＰにより電力が供給されている。
【００１９】
図２，図３に示されるように、吊下げ陳列具１１は、丸棒状の吊下げアーム１２と、該吊下げアーム１２の上方に略平行に配置される丸棒状の上部アーム１３と、レール１０ｃに上方から係合可能な受け部材１４と、を備えている。上部アーム１３は吊下げアーム１２と後方にて連結されており、計測装置２は上部アーム１３に取付けられている。また、受け部材１４は、下向き略コ字状を成し吊下げアーム１２の後端部の下方に溶接固定されている。吊下げアーム１２は、前後に延びる直線部１２ａと、該直線部１２ａの前端部で上方に屈曲して延びる延設部１２ｂと、を備えている。
【００２０】
図３に示されるように、計測装置２は、移動片５と、上下一対の荷重センサ６，６（当接部）と、前方が開口した略箱型の収納ケース７とを備え、移動片５及び上下一対の荷重センサ６，６は、収納ケース７に収納され保護・隠蔽されている。また、収納ケース７の後方にはアームカバー部７２が連接されており、アームカバー部７２は上部アーム１３に内嵌されて固定されている。アームカバー部７２は移動片５及び荷重センサ６，６よりも後方に配列され、アームカバー部７２には前後方向に延び前端が収納ケース７に開口し後端が外部に開口する貫通孔７１が形成されている。尚、上部アーム１３が貫通孔７１に挿通されて内嵌された状態で、電気コードが挿通されるスペースが形成されている。
【００２１】
図３を参照して、移動片５は、商品表示板５１と、該商品表示板５１より後方に延びる接続部材５２と、バー部材５３と、によって主に構成される。接続部材５２は前後に延びる筒状を成し、バー部材５３の前端部が内嵌係合された状態で、回動軸５４により連結され、バー部材５３とともに回動自在に軸支されている。バー部材５３は、前後に延びる直線状の直杆部５５（干渉する側の部材）と、該直杆部５５の後方に配置される被計測杆部５６（当接部側の部材）と、直杆部５５及び被計測杆部５６を連結する緩衝バネ５７と、を備えている。商品表示板５１の下端部は、延設部１２ｂの上端に近接して配置されている。商品Ａが吊下げアーム１２に案内されて出し入れされる際、商品Ａの上端部が商品表示板５１の下端部に当接する（干渉する）ことで、回動軸５４に軸支された移動片５は揺動する。
【００２２】
収納ケース７の内面の上下には、荷重センサ６，６が配置され、バー部材５３が揺動すると被計測杆部５６が一方の荷重センサ６に当接し、荷重センサ６にかかった荷重が計測される。判定手段４において、荷重センサ６により計測された荷重が所定の閾値以上の場合、上方の荷重センサ６であれば補充、下方の荷重センサ６であれば取出しとして判定手段４によって判定され対応する個数が一だけ加算ないし減算、すなわちカウントされる。また、荷重センサ６によって計測された荷重が閾値未満の場合、判定手段４によってカウントされない。判定手段４によって出し入れがカウントされると、送信ユニット３により図示しない外部コンピュータに送信され出し入れのカウントが反映された画面が外部ディスプレイ８（アラート手段）に表示される。尚、各計測装置２，２，…の上下の荷重センサ６，６の閾値は、それぞれ適宜変えてもよい。
【００２３】
また、外部ディスプレイ８は、商品Ａの盗難があった際、アラート出力により周知することができる。例えば、一つの商品の取出しに要する平均的な時間Ｔ１（例えば１秒）を実験等により把握しておき、この平均時間Ｔ１に所定のマージン時間（例えば０．７秒）を加えて１つの商品Ａの取出し基準となる基準時間Ｔａ（例えば１．７秒）を予め設定しておく。複数の商品Ａが一斉に取出されると、荷重センサ６には連続して複数の商品Ａが移動片５を介して接触し、荷重センサ６に商品Ａが間接的に接触している時間は基準時間Ｔａよりも長くなる。このように荷重センサ６からの出力が基準時間Ｔａを超えたとき、商品Ａの盗難等の不正行為があると検知して外部ディスプレイ８に所定の警告画面表示または警告音を出力させ、従業員に周知する。また、複数の商品Ａが一斉に取出される際、荷重センサ６により検出される荷重の増減から商品Ａの取出しの個数Ｎ（例えば４つ）を特定し、図４に示されるように、外部ディスプレイ８に取出された商品名や個数Ｎ等の所定の警告画面が表示されるようにしてもよい。尚、外部ディスプレイ８によるアラート出力の代わりにまたは追加して商品陳列什器１０に取付けられた図示しないパトランプによる報知でもよく、また携帯電話に警報メールを送信したり、吊下げ陳列具１１または計測装置２に報知機能を備えたりしてもよい。
【００２４】
陳列什器用カウント装置１が商品Ａの出し入れをカウントする仕組みについて説明する。まず、商品Ａを補充する場合について説明する。図５（ａ）に示されるように、商品Ａを吊下げアーム１２に挿通させる前の状態において、商品表示板５１はその主面が略鉛直であり、バー部材５３はその長手方向が図示しないトーションバネにより略水平を保っている。このとき、バー部材５３の被計測杆部５６は、いずれの荷重センサ６，６にも当接しておらず、荷重センサ６，６と上下に略同じ長さ離れている。
【００２５】
商品Ａに形成された孔Ｈを吊下げアーム１２に挿通させて商品Ａを後方に移動させると、商品表示板５１はその下端部が商品Ａの上端部により前方から当接して後方に押され、移動片５の揺動により被計測杆部５６が上方移動して上方の荷重センサ６に当接し（図５（ｂ）参照）、さらに揺動すると緩衝バネ５７が曲がりつつ被計測杆部５６が上方の荷重センサ６に当接し続ける（図５（ｃ）参照）。このとき、上方の荷重センサ６が計測した荷重を判定手段４（図３参照）において所定の閾値と比較し、商品Ａの補充個数をカウントする。
【００２６】
次いで、商品Ａを取出す場合について説明する。図６（ａ）に示されるように、吊下げアーム１２の後方に吊下げられた商品Ａを取出す前の状態において、商品表示板５１はその主面が略鉛直であり、バー部材５３はその長手方向が図示しないトーションバネにより略水平を保っている。このとき、バー部材５３の被計測杆部５６は、いずれの荷重センサ６，６にも当接しておらず、荷重センサ６，６と上下に略同じ長さ離れている。
【００２７】
吊下げアーム１２に吊下げられた商品Ａを前方に移動させると、商品表示板５１はその下端部が商品Ａの上端部により後方から当接して前方に押され、移動片５の揺動により被計測杆部５６が下方移動して下方の荷重センサ６に当接し（図６（ｂ）参照）、さらに揺動すると緩衝バネ５７が曲がりつつ被計測杆部５６が下方の荷重センサ６に当接し続ける（図６（ｃ）参照）。このとき、下方の荷重センサ６が計測した荷重を判定手段４（図３参照）において所定の閾値と比較し、商品Ａの取出し個数をカウントする。
【００２８】
実施例１の変形例について説明する。なお、前記実施例に示される構成部分と同一のものについては、同一符号を付して重複する説明を省略する。移動片５の形態は図３に示されるように接続部材５２が一本の直線状を成すものに限らず、例えば図７に示されるように接続部材１５２が前後方向に延びる上下二本の脚部と該脚部を上下に連結する連結部とを有する構造であってもよく、この場合移動片１０５の構造強度に優れる。
【００２９】
以上説明したように、陳列什器用カウント装置１の判定手段４は、荷重センサ６，６により検出された荷重が閾値以上の場合に商品Ａの出し入れがあったと判定するため、商品Ａの出し入れに無関係な小さな外力により生じた閾値未満の荷重を商品Ａの出し入れにカウントしないようになっている。そのため、商品Ａの出し入れの誤検知を防止し、商品Ａの正確な在庫管理ができる。
【００３０】
また、移動片５は回動軸５４に軸支されており、商品取出し時に移動片５が上方の荷重センサ６に当接し、商品補充時に移動片５が下方の荷重センサ６に当接することから、簡素な構成で陳列什器用カウント装置１が商品取出し時と商品補充時とを明確に区別してカウントすることができる。
【００３１】
また、移動片５は、直杆部５５と被計測杆部５６とが緩衝バネ５７によって連結されて構成されていることから、移動片５が荷重センサ６に当接して作用する荷重を荷重センサ６で計測する際、緩衝バネ５７が変形することにより荷重センサ６に極端な荷重をかけることを防止できる。また、移動片５の揺動を許容するようになっており円滑に商品を出し入れできる。
【００３２】
また、移動片５は、商品表示板５１を備えており、該商品表示板５１の下端部は、吊下げアーム１２の上方に近接して配置されていることから、商品出し入れ時に商品Ａの上端部が商品表示板５１の下端部に干渉すると、移動片５が揺動する。そのため、簡単な構造で陳列什器用カウント装置１を構成することができる。
【００３３】
また、移動片５は、商品表示板５１に略直交するバー部材５３を備えており、該バー部材５３は、商品表示板５１が商品Ａに干渉されないとき略水平に延びるように保持されていることから、移動片５が商品Ａの出し入れとは無関係に荷重センサ６，６に当接しにくくなっており防止でき、商品Ａの出し入れの誤検知を防止できる。
【００３４】
また、被計測杆部５６は、移動片５が商品Ａに干渉されないとき、荷重センサ６，６と上下に略同じ長さ離れていることから、移動片５が商品Ａの出し入れとは無関係な振動等よって荷重センサ６，６に当接することを防止でき、商品Ａの出し入れの誤検知を防止できる。
【００３５】
また、荷重センサ６，６を移動片５の当接部としたことから、荷重センサ６，６を固定物に固定することで、荷重センサ６，６が被計測杆部５６から受ける荷重を安定的に計測することができる。
【００３６】
また、接続部材５２とバー部材５３とが連結されていることから、組立てに必要な部材の大きさをコンパクトにすることができる。
【００３７】
また、商品表示板５１を移動片５の前部に取付けることで、平板状の商品表示板５１が収納ケース７の開口を視覚的に目立たなくさせることができ、美観に優れる。また、部品点数を少なくすることができる。
【００３８】
また、移動片５及び荷重センサ６，６は収納ケース７に収納されていることから、移動片５及び荷重センサ６，６を保護するとともに隠蔽できるため、美観に優れる。また、吊下げアーム１２の上方に配置された上部アーム１３に収納ケース７が固定されていることから、収納ケース７が上部アーム１３への組立てが容易である。
【００３９】
また、複数の吊下げ陳列具１１，１１，…に取付けられた各々の計測装置２，２，…は、電気コードにより一つの送信ユニット３と電気的に接続されていることから、陳列什器用カウント装置１の設置コストを抑えることができる。
【実施例２】
【００４０】
実施例２に係る陳列什器用カウント装置につき、図８を参照して説明する。なお、前記実施例に示される構成部分と同一のものについては、同一符号を付して重複する説明を省略する。
【００４１】
図８に示されるように、陳列什器用カウント装置２０１は、計測装置２０２と、送信ユニット２０３と、送信ユニット２０３に備えられた判定手段２０４と、によって主に構成され、計測装置２０２及び送信ユニット２０３は、上部アーム１３に固定された収納ケース２０７に収納され保護・隠蔽されている。このことから、陳列什器用カウント装置２０１は美観に優れる。
【００４２】
送信ユニット２０３及び計測装置２０２は、電気的に接続されており、外部の電源プラグＰにより電力が供給されているため、陳列什器用カウント装置２０１が電源プラグＰにより電力が供給されている限り、継続的かつ安定的に使用することができる。尚、各々の吊下げ陳列具１１，１１，…に各々の計測装置２０２，２０２，…及び各々の送信ユニット２０３，２０３，…が取付けられていることから、特定の吊下げ陳列具１１に取付けられた送信ユニット２０３に不具合が起きても、他の送信ユニット２０３，２０３に影響を及ぼさず、不具合を起こした送信ユニット２０３の対応のみでよくなる。
【実施例３】
【００４３】
実施例３に係る陳列什器用カウント装置につき、図９を参照して説明する。なお、前記実施例に示される構成部分と同一のものについては、同一符号を付して重複する説明を省略する。
【００４４】
図９に示されるように、陳列什器用カウント装置３０１は、実施例２と同様に、計測装置３０２と、送信ユニット３０３と、送信ユニット３０３に備えられた判定手段３０４と、によって主に構成され、計測装置３０２及び送信ユニット３０３は、上部アーム１３に固定された収納ケース３０７に収納され保護・隠蔽されている。このことから、陳列什器用カウント装置３０１は美観に優れる。
【００４５】
送信ユニット３０３及び計測装置３０２は、電気的に接続されており、電池Ｂ，Ｂにより電力が供給されているため、電気コードの配線が不要となり、美観に優れ、また電気コードの取り回しが不要となる。また、電池Ｂ，Ｂの残量が少なくなると、収納ケース３０７の上面前端部に取付けられたＬＥＤランプＬが点灯するようになっているため、電池Ｂ，Ｂの電池切れを起こすことなく電池交換でき、陳列什器用カウント装置３０１を継続的かつ安定的に使用することができる。尚、ＬＥＤランプＬは電池Ｂ，Ｂの残量が少なくなると点灯すると説明したが、これに限らず、例えば図示しない外部ディスプレイに電池Ｂ，Ｂの残量が少ない旨を表示するようにしてもよい。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、実施例では、計測装置２は、移動片５が荷重センサ６に当接して作用した荷重を荷重センサ６により荷重を計測すると説明したが、これに限らず、例えば移動片が板バネに当接することで歪みの生じる板バネについて、歪みセンサを用いてその荷重を計測するものであってもよい。
【００４８】
また、計測装置２は、移動片に生じる歪みを歪みセンサにより検出し、移動片と当接部との間の荷重を計測するものであってもよい。
【００４９】
また、計測装置２には上下一対の荷重センサ６，６が備えられていると説明したが、これに限らず、荷重センサは一つでもよい。
【００５０】
また、収納ケースは前方が開口した略箱型を成すと説明したが、これに限らず、例えば円盤状を成していてもよい。
【００５１】
また、判定手段は送信ユニットに備えられていると説明したが、これに限らず、判定手段が送信ユニットから独立して配置されていてもよい。
【００５２】
また、左右一対の支柱１０ａ，１０ａの下端部には、前方に延びる左右一対の脚部材１０ｆ，１０ｆが備えられていると説明したが、これに限らず、より安定して自立できるように、脚部材が支柱の下端部から前後に延びていてもよい。
【００５３】
また、吊下げアーム１２及び上部アーム１３は丸棒状であると説明したが、これに限らず、例えば角棒状であってもよい。
【００５４】
また、受け部材１４は、下向き略コ字状を成し吊下げアーム１２の後端部の下方に溶接固定されていると説明したが、これに限らず、例えば吊下げ陳列具の後端部に溶接固定されていてもよい。
【符号の説明】
【００５５】
１            陳列什器用カウント装置
４            判定手段
５            移動片
６            荷重センサ（当接部）
７            収納ケース
８            外部ディスプレイ（アラート手段）
１０          商品陳列什器
１１          吊下げ陳列具
１２          吊下げアーム
１３          上部アーム
５１          商品表示板
５４          回動軸
５５          直杆部（干渉する側の部材）
５６          被計測杆部（当接部側の部材）
５７          緩衝バネ
Ａ            商品
Ｈ            孔
Ｎ            個数
Ｐ            電源プラグ
Ｔ１          平均時間
Ｔａ          基準時間
【図１】
2020127637.tif 000003
【図２】
2020127637.tif 000004
【図３】
2020127637.tif 000005
【図４】
2020127637.tif 000006
【図５】
2020127637.tif 000007
【図６】
2020127637.tif 000008
【図７】
2020127637.tif 000009
【図８】
2020127637.tif 000010
【図９】
2020127637.tif 000011